(57)【特許請求の範囲】
【請求項１】
苗が条植えされた水田に生えた雑草を除去する水田用除草装置であって、
本体フレームと、
前後に延び、土壌表面に接触しつつ揺動する揺動ツースと、
水平かつ左右に延びる回転軸を中心として回転し、複数の除草爪を備える条間ロータと、
ロータ操作部を備えるロータ位置調節機構と、
前記条間ロータの前方に配置された前端部から前記条間ロータの側方まで後方に向かって延びる側板を有する分草板と、
を有し、
前記揺動ツースおよび前記分草板は、前記本体フレームに対する上下方向の相対位置が略一定であり、
前記ロータ位置調節機構は、前記ロータ操作部を操作することにより、前記条間ロータの前記本体フレーム、前記揺動ツースおよび前記分草板に対する上下方向の相対位置を変位させる、水田用除草装置。
【請求項２】
請求項１に記載の水田用除草装置であって、
土壌表面の高さを検知するフロート
をさらに有し、
前記フロートは、前記本体フレームに対する上下方向の相対位置が略一定であり、
前記条間ロータの前方、かつ、前後方向に重なる位置には、前記分草板または前記フロートが配置される、水田用除草装置。
【請求項３】
請求項１または請求項２に記載の水田用除草装置であって、
前記ロータ位置調節機構は、前記条間ロータの前記揺動ツースに対する上下方向の相対位置を段階的に調節する、水田用除草装置。
【請求項４】
請求項１ないし請求項３のいずれかに記載の水田用除草装置であって、
前記ロータ位置調節機構は、
固定軸と、
前記固定軸を中心として回動し、前記条間ロータの前記回転軸を回転可能に支持する回動部材と、
をさらに有し、
前記ロータ操作部は、一端が把手部であり、他端が前記回動部材に固定され、
前記ロータ操作部の前記一端を操作して、前記回動部材を前記固定軸を中心として回動させることで、前記回転軸および前記条間ロータの前記揺動ツースに対する上下方向の相対位置を変位させる、水田用除草装置。
【請求項５】
請求項１ないし請求項４のいずれかに記載の水田用除草装置であって、
前記条間ロータを複数有し、
前記ロータ位置調節機構は、前記ロータ操作部を操作することにより、複数の前記条間ロータの全てについて、前記揺動ツースに対する上下方向の相対位置を同時に変位させる、水田用除草装置。
【請求項６】
請求項１ないし請求項５のいずれかに記載の水田用除草装置であって、
前記ロータ位置調節機構は、前記条間ロータを、前記揺動ツースに対して最も下方に配置した最深位置と、前記揺動ツースに対して最も上方に配置した最浅位置との間で昇降し、
前記最深位置において、前記条間ロータの下端部は、前記揺動ツースの下端部よりも下方に配置される、水田用除草装置。
【発明の詳細な説明】
【技術分野】
【０００１】
本発明は、水田に植えられた複数の苗の周囲に生える雑草を除去するための水田用除草装置に関する。
【背景技術】
【０００２】
従来、水田に生えた雑草を除去するために、苗の条間を除草する条間ロータと、苗の株間を除草する揺動ツースとを備えた除草機が知られている。従来の除草機については、例えば、特許文献１に記載されている。
【０００３】
特許文献１に記載の除草機では、図６に示すように、条間を除草する条間ロータ８１（田車）と株間を除草するレーキ８２（揺動しないが、ツースに相当する）とを有している。このような除草機では、苗の周囲においてレーキ８２が圃場に接触することにより、苗の株間に生える雑草を掻き出すとともに、苗の条間において回転駆動する条間ロータが圃場に接触することにより、苗の条間に生える雑草を掻き出す。これにより、圃場に生えた雑草を除去することができる。
【先行技術文献】
【特許文献】
【０００４】
【特許文献１】特許第４５２６９９１号公報
【発明の概要】
【発明が解決しようとする課題】
【０００５】
特許文献１に記載の除草機では、条間ロータ８１の高さをフレーム８３に対して調節することが可能である（段落００２０）。しかしながら、図６に示すように、条間ロータ８１はそれぞれ、フレーム８３に対してねじ止めにより固定されているため、高さの調整には工具が必要である。したがって、除草機を圃場に配置したまま、条間ロータ８１の高さを調節するのは困難である。
【０００６】
一方、除草作業において、雑草の密集度や生える雑草の種類は、同一の水田内でも異なる。そのため、圃場面に対する条間ロータの高さを一定に保ったまま除草作業を行うと、同一の水田内に除草効果が低い領域が生じる。除草効果を向上させるためには、圃場の状態に応じて条間ロータの高さを調節する必要がある。しかしながら、圃場上で工具を用いて条間ロータの高さを調節すると、時間がかかり作業効率が低下する。また、圃場上でねじ等の取り外しを行うと、部品を紛失する虞がある。
【０００７】
本発明は、このような事情に鑑みなされたものであり、苗の条間を除草する条間ロータを有する除草装置において、除草作業の作業効率の低下を抑制しつつ、条間ロータによる除草効果を高める技術を提供することを、目的とする。
【課題を解決するための手段】
【０００８】
上記課題を解決するため、本願の第１発明は、苗が条植えされた水田に生えた雑草を除去する水田用除草装置であって、苗が条植えされた水田に生えた雑草を除去する水田用除草装置であって、本体フレームと、前後に延び、土壌表面に接触しつつ揺動する揺動ツースと、水平かつ左右に延びる回転軸を中心として回転し、複数の除草爪を備える条間ロータと、ロータ操作部を備えるロータ位置調節機構と、前記条間ロータの前方に配置された前端部から前記条間ロータの側方まで後方に向かって延びる側板を有する分草板と、を有し、前記揺動ツースおよび前記分草板は、前記本体フレームに対する上下方向の相対位置が略一定であり、前記ロータ位置調節機構は、前記ロータ操作部を操作することにより、前記条間ロータの前記本体フレーム、前記揺動ツースおよび前記分草板に対する上下方向の相対位置を変位させる。
【０００９】
本願の第２発明は、第１発明の水田用除草装置であって、土壌表面の高さを検知するフロートをさらに有し、前記フロートは、前記本体フレームに対する上下方向の相対位置が略一定であり、前記条間ロータの前方、かつ、前後方向に重なる位置には、前記分草板または前記フロートが配置される。
【００１０】
本願の第３発明は、第１発明または第２発明の水田用除草装置であって、前記ロータ位置調節機構は、前記条間ロータの前記揺動ツースに対する上下方向の相対位置を段階的に調節する。
【００１１】
本願の第４発明は、第１発明ないし第３発明のいずれかの水田用除草装置であって、前記ロータ位置調節機構は、固定軸と、前記固定軸を中心として回動し、前記条間ロータの前記回転軸を回転可能に支持する回動部材と、をさらに有し、前記ロータ操作部は、一端が把手部であり、他端が前記回動部材に固定され、前記ロータ操作部の前記一端を操作して、前記回動部材を前記固定軸を中心として回動させることで、前記回転軸および前記条間ロータの前記揺動ツースに対する上下方向の相対位置を変位させる。
【００１２】
本願の第５発明は、第１発明ないし第４発明のいずれかの水田用除草装置であって、前記条間ロータを複数有し、前記ロータ位置調節機構は、前記ロータ操作部を操作することにより、複数の前記条間ロータの全てについて、前記揺動ツースに対する上下方向の相対位置を同時に変位させる。
【００１３】
本願の第６発明は、第１発明ないし第５発明のいずれかの水田用除草装置であって、前記ロータ位置調節機構は、前記条間ロータを、前記揺動ツースに対して最も下方に配置した最深位置と、前記揺動ツースに対して最も上方に配置した最浅位置との間で昇降し、前記最深位置において、前記条間ロータの下端部は、前記揺動ツースの下端部よりも下方に配置される。
【発明の効果】
【００１４】
本願の第１発明から第６発明によれば、ロータ操作部を操作することにより、揺動ツースおよび分草板に対して条間ロータの上下方向の位置がワンタッチで変位する。これにより、苗の活着の状態や、圃場の状態に応じて、揺動ツースおよび分草板が圃場に対して作用する深さを変えることなく、条間ロータが圃場に対して作用する深さをワンタッチで変更できる。簡単かつ迅速に条間ロータの高さ調節を行うことにより、作業効率を低下させることなく、条間ロータによる除草効果を向上できる。
【００１５】
特に、本願の第２発明によれば、揺動ツースの上下方向の位置を、フロートに従動させて、揺動ツースおよび分草板を土壌表面に対する適切な高さに配置する。これにより、揺動ツース２４の除草効果が低下するのが抑制される。
【００１６】
特に、本願の第３発明から第５発明によれば、簡易な操作で条間ロータの高さを調節できる。したがって、作業効率を向上できる。
【００１７】
特に、本願の第６発明によれば、条間ロータは、揺動ツースよりも深い位置まで雑草の根部を掻き取ることができる。これにより、条間ロータによる除草効果をより向上できる。
【図面の簡単な説明】
【００１８】
【図１】除草機の側面図である。
【図２】除草装置の正面図である。
【図３】除草装置の斜視図である。
【図４】ロータ位置調節機構および条間ロータの回転軸の斜視図である。
【図５】除草機の部分側面図である。
【図６】従来の除草装置の部分側面図である。
【発明を実施するための形態】
【００１９】
以下、本発明の好適な実施形態について、図面を参照しつつ説明する。なお、本願では、除草機の進行方向を「前方向」、除草機の進行方向と逆の方向を「後方向」とそれぞれ称する。また、本願では、除草機の使用時の姿勢に従って上下方向を定義する。また、除草機の使用時の姿勢において、水平かつ前後方向と垂直な方向を、左右方向と称する。図１中、前方向に「Ｆ」、後方向に「Ｒ」を付している。
【００２０】
＜１．第１実施形態＞
＜１−１．除草機の全体構成＞
図１は、本実施形態に係る除草機１の側面図である。この除草機１は、水田に条植えされた苗の周囲に生える雑草を除去する装置である。図１に示すように、除草機１は、走行車体１０と、除草装置２０とを有する。
【００２１】
走行車体１０は、メインフレーム１１、前輪１２、後輪１３、操作部１４、運転席１５、昇降リンク１６、および、走行用動力機構１７を備えた乗用型機体である。メインフレーム１１は、前輪１２および後輪１３によって支持されている。
【００２２】
本実施形態では、走行車体１０は、１つの前輪１２および２つの後輪１３を有する三輪車である。前輪１２は、走行車体１０の前方中央に配置される。また、後輪１３は、走行車体１０の後方に、左右の間隔を空けて配置される。なお、前輪１２と左側の後輪１３の左右方向の間隔、および、前輪１２と右側の後輪１３の左右方向の間隔はそれぞれ、圃場に条植えされた苗を跨ぐ間隔に設定されている。なお、本発明の除草装置が搭載される除草機は、三輪車に限られない。例えば、２つの前輪と２つの後輪とを有する四輪車であってもよい。
【００２３】
走行用動力機構１７には、例えば、エンジンおよび変速機を含む動力機構が用いられる。本実施形態の前輪１２および後輪１３はそれぞれ、動力伝達機構（図示せず）を介して走行用動力機構１７と連結される。すなわち、本実施形態の除草機１は、全輪が動力により駆動される、全輪駆動車である。これにより、走行用動力機構１７が動作すると、前輪１２および後輪１３が回転し、除草機１が走行する。
【００２４】
また、前輪１２は、走行車体１０の進行方向に対して左右方向に回動自在に支持されている。前輪１２の回動方向は、操作部１４を操作することにより、制御される。
【００２５】
操作部１４および運転席１５は、走行車体１０の後部中央に設けられている。本実施形態の除草機１は、前輪１２と後輪１３との間に、除草装置２０が配置される、いわゆるミッドマウント型の除草機である。運転席１５が走行車体１０の最後方に設けられることにより、作業者は、除草機１の走行方向や除草作業を監視しやすい。作業者は、運転席１５に着席した状態で、必要に応じて操作部１４の各部を操作し、前輪１２の回動方向、前後の進行方向の切り替え、走行速度の切り替え、および、昇降リンク１６の昇降動作などを制御しつつ、除草作業を行う。
【００２６】
昇降リンク１６は、前後方向に延びる平行リンク１６１と、平行リンク１６１の角度を変更する昇降装置１６２とを有する。平行リンク１６１の後方側の端部は、ギアケース１１１に回動自在に取り付けられる。ギアケース１１１は、メインフレーム１１の下方に取り付けられる。ギアケース１１１は、ギアを内部に保持するとともに、平行リンク１６１を取り付ける取付フレームの役割も果たしている。一方、平行リンク１６１の前方側の端部には、除草装置２０が取り付けられる。
【００２７】
本実施形態の昇降装置１６２は、走行用動力機構１７により駆動される油圧発生装置（図示せず）の油圧を用いた、油圧シリンダである。昇降装置１６２は、上方側の端部がメインフレーム１１と回動自在に取り付けられ、下方側の端部が平行リンク１６１と回動自在に取り付けられる。これにより、作業者が操作部１４を操作すると、昇降装置１６２が伸縮し、平行リンク１６１の角度が変化する。そうすると、平行リンク１６１の前方側の端部に取り付けられた除草装置２０が、走行車体１０に対して上下に移動する。
【００２８】
除草装置２０は、昇降リンク１６を介して走行車体１０に取り付けられている。除草を行う場合、昇降装置１６２が伸長することにより、除草装置２０を下方へ移動させ、除草位置に配置する。また、除草を行わない場合、昇降装置１６２が縮むことにより、除草装置２０を上方へ移動させ、除草位置より上方の待機位置に配置する。図１では、除草装置２０は、除草位置に配置されている。
【００２９】
また、本実施形態の昇降リンク１６は、走行車体１０に備えられた走行用動力機構１７の動力の一部を除草装置２０へ伝達するための動力伝達軸（図示せず）を有する。ギアケース１１１の内部のギア機構には、走行用動力機構１７から出力された動力の一部が分岐されて入力される。当該動力は、ギアケース１１１の内部のギア機構において変換・伝達され、ギアケース１１１の出力端から出力され、動力伝達軸を介して、除草装置２０へと入力される。
【００３０】
＜１−２．除草装置の構成＞
次に、除草装置２０について説明する。除草装置２０は、圃場に生えた雑草を除去する部位である。図２は、除草装置２０の正面図である。図３は、除草装置２０の斜視図である。図４は、ロータ位置調節機構２５および条間ロータ２３の回転軸２３０の斜視図である。図５は、除草機１の部分側面図である。図１〜図３に示すように、本実施形態の除草装置２０は、２つのフロート２１、３つの分草板２２、５つの条間ロータ２３、４組の揺動ツース２４、および、ロータ位置調節機構２５を有する。
【００３１】
フロート２１は、圃場の土壌表面の高さを検知するための機構である。フロート２１は、例えば、その下面を土壌表面に接触させ、土壌表面から受ける圧力を検知することにより、フロート２１に対する土壌表面の相対的な高さを検知する。除草機１は、フロート２１の検出した圃場の高さに応じて、昇降リンク１６を昇降させ、除草装置２０を適切な高さに配置させる。本実施形態では、２つのフロート２１は、左右に並ぶ５つの条間ロータ２３のうち、両端及び中央以外の２つの条間ロータ２３の前方に配置される。
【００３２】
分草板２２は、条植えされた苗の葉部の左右の広がりを抑える板である。分草板２２は、左右方向に並ぶ５つの条間ロータ２３のうち、両端および中央の３つの条間ロータ２３の前方に配置される。すなわち、３つの分草板２２と２つのフロート２１とは、それぞれ、５つの条間ロータ２３と前後方向に重なる位置に、交互に配置されている。
【００３３】
分草板２２はそれぞれ、前後方向に対して垂直、すなわち、左右方向および上下方向に拡がる前板２２１と、前板２２１の左右の端部から斜め後方に向かって延びる２つの側板２２２とを有する。２つの側板２２２は、後方に向かうにつれ、前板２２１から左右に拡がるように配置されている。
【００３４】
これにより、圃場に植えられた苗の葉部が左右方向に拡がっている場合に、苗の葉部にフロート２１の側面および分草板２２の側板２２２が接触して当該苗の中心方向に葉部をまとめる。その結果、左右方向に拡がった苗の葉部が条間ロータ２３に接触して、苗が圃場から引き抜かれるのが抑制される。
【００３５】
なお、分草板２２には、前板２２１の中央下部に通水孔２２３が設けられている。これにより、分草板２２による抵抗を抑制するとともに、分草板の前方に土や藻が堆積するのが抑制される。
【００３６】
条間ロータ２３は、条植えされた苗の条間を除草する。５つの条間ロータ２３はそれぞれ、植え付けされた苗の条間に位置するように、左右方向に等間隔に配置されている。また、条間ロータ２３は、複数の除草爪２３１を有している。
【００３７】
走行用動力機構１７から除草装置２０へと動力が入力されると、当該動力が条間ロータ２３へ伝達され、条間ロータ２３が回転する。このとき、条間ロータ２３は、水平かつ左右に延びる回転軸２３０（図３参照）を中心として前向きに（前進するときの前輪１２および後輪１３と同じ向きに）回転駆動する。除草爪２３１が圃場の条間の土壌表面を掻くことにより、圃場の条間に生えた雑草を土壌から掻き取ることができる。条間ロータ２３により掻き取られ、水面近くに浮き上がった雑草は、その後拾い集めてもよいし、放置してもよい。放置した場合、雑草はその後死滅する。
【００３８】
揺動ツース２４は、条植えされた苗の周辺を除草する機構である。本実施形態の除草装置２０は、４本１組の揺動ツース２４を４組有する、４条用の除草装置である。４組の揺動ツース２４は、植え付けされた苗の株間に位置するように、左右方向に等間隔に配置されている。揺動ツース２４は各組ごとにそれぞれ、上端をフレーム２４１に固定され、配置されている。なお、本実施形態の除草装置２０は、１条分の株間に対して４本１組の揺動ツース２４を有しているが、１条分の株間に対する揺動ツース２４は３本以下であってもよいし、５本以上であってもよい。
【００３９】
図１に示すように、揺動ツース２４はそれぞれ、針金状の部材により形成されている。揺動ツース２４は、フレーム２４１に片持ち状に取り付けられて下方へ延びる基部２４２と、基部２４２の下端部から上下方向に蛇行しつつ後方へ延びる作用部２４３とを有する。
【００４０】
基部２４２は、フレーム２４１から鉛直に垂下した後、前方に向けて斜め下方向へやや屈曲し、さらに下方において後方に向けて斜め下方向へ大きく屈曲する。すなわち、基部２４２は、左右方向から見て、前方に向けて凸となるく字状の形状である。このように揺動ツース２４は、上下方向および前後方向に延びている。一方、図２に示すように、揺動ツース２４が左右方向には延びていないことにより、除草作業時に、揺動ツース２４が圃場に生育する苗に引っかかり、苗を引き抜くのが抑制されている。
【００４１】
また、走行用動力機構１７から除草装置２０へと動力が入力されると、当該動力が左右の往復運動力に変換されて、フレーム２４１へ伝達される。これにより、フレーム２４１とともに、揺動ツース２４が左右に揺動する。その結果、揺動ツース２４が圃場に生育する苗の周辺の土壌表面に接触しながら揺動することにより、株間および苗の周辺に生えた雑草を掻き出して除去することができる。揺動ツース２４により掻き出され、水面近くに浮き上がった雑草は、条間ロータ２３により掻き取られた雑草と同様、拾い集めてもよいし、放置してもよい。
【００４２】
本実施形態では、揺動ツース２４は、本体フレーム２００に対して取り付けられている。一方、フロート２１は、除草装置２０の本体フレーム２００に対して所定の位置に保たれている。したがって、揺動ツース２４のフロート２１に対する上下方向の位置は略一定である。すなわち、揺動ツース２４は、土壌表面に対して上下方向の位置が略一定となるように除草装置２０に取り付けられている。揺動ツース２４は、土壌表面に接触することにより、株間の除草を行う。このため、揺動ツース２４の下端部は、土壌表面に接触している必要がある。一方、揺動ツース２４の下端部が土壌表面に対して一定以上の深さに達すると、揺動ツース２４が土壌に捕らわれて動きにくくなってしまう。その場合、揺動ツース２４が十分に揺動せず、株間の除草効果が低下する。
【００４３】
そこで、本実施形態では、揺動ツース２４の上下方向の位置を、フロート２１の上下方向の位置に従動させることにより、揺動ツース２４を土壌表面に対して常に適切な高さに配置している。これにより、揺動ツース２４の除草効果が向上する。
【００４４】
ロータ位置調節機構２５は、条間ロータ２３の揺動ツース２４に対する上下方向の相対位置を変位させる機構である。ロータ位置調節機構２５は、図４に示すように、レバー２５１、伝達軸２５２、３つの接続部材２５３、２つの駆動軸２５４、および４つの増幅部材２５５を有する。
【００４５】
レバー２５１は、作業者が条間ロータ２３の高さを選択するためのロータ操作部である。レバー２５１の一端（上端部）は、作業者が操作するための把手部である。また、レバー２５１の他端（下端部）は、伝達軸２５２に固定されている。
【００４６】
本実施形態のレバー２５１は、６段階に条間ロータ２３の位置を選択できる段階調節式のレバーである。具体的には、レバー２５１を、レバーケース２５１ａに対して６つの異なる位置に切り替えることができる。図４に示すように、レバー２５１には、板状の突起２５１ｂが設けられている。一方、レバーケース２５１ａには、突起２５１ｂを固定する６個の切り込み２５１ｃが設けられている。したがって、レバー２５１の前後方向の位置を、突起２５１ｂと切り込み２５１ｃとが咬み合う６箇所のいずれかに固定できる。
【００４７】
これにより、ロータ位置調節機構２５は、条間ロータ２３を、揺動ツース２４に対して最も下方に配置した最深位置と、揺動ツース２４に対して最も上方に配置した最浅位置との間で６段階に昇降させる。このように、本実施形態のロータ位置調節機構２５は、条間ロータ２３の揺動ツース２４に対する相対位置を多段階に調節できる。これにより、作業者が条間ロータ２３の高さを細かく位置決めできる。
【００４８】
伝達軸２５２は、略水平かつ左右に延びる略円柱状の部材である。伝達軸２５２には、レバー２５１の下端部が固定されている。本実施形態では、レバー２５１の下端部は、伝達軸２５２の右側の端部に固定された接続部材２５３と、伝達軸２５２の略中央に固定された接続部材２５３との間の位置の伝達軸２５２に固定されている。なお、レバー２５１の下端部は、伝達軸２５２に対して回動力を伝達できればよいため、伝達軸２５２のいずれの位置に固定されてもよい。
【００４９】
接続部材２５３はそれぞれ、略水平かつ左右に延びる固定軸２５０を中心として、本体フレーム２００に対して回動する。本実施形態では、３つの接続部材２５３のそれぞれが、伝達軸２５２の右側の端部、左側の端部、および略中央に固定されている。また、３つの接続部材２５３のうち、左右両端の２つの接続部材２５３が、駆動軸２５４とアーム２５６を介して取り付けられている。これにより、伝達軸２５２および駆動軸２５４は、固定軸２５０を中心として、除草装置２０の本体に対して回動する。
【００５０】
駆動軸２５４は、略水平かつ左右に延びる、略円柱状の部材である。２つの駆動軸２５４は、同一直線上に配置されている。一方の駆動軸２５４は、右側の接続部材２５３にアーム２５６を介して取り付けられ、他方の駆動軸２５４は、左側の接続部材２５３にアーム２５６を介して取り付けられている。これにより、レバー２５１の位置が変化すると、駆動軸２５４は、接続部材２５３およびアーム２５６とともに固定軸２５０を中心として回動する。
【００５１】
増幅部材２５５は、前後方向に延びる板状の部材である。本実施形態のロータ位置調節機構２５は、４つの増幅部材２５５を有する。２つの駆動軸２５４の左右の両端のそれぞれに、増幅部材２５５の後方側の端部付近が回動自在に取り付けられている。また、増幅部材２５５の前方側の端部付近は、条間ロータ２３の回転軸２３０を回転可能に支持する。これにより、レバー２５１の位置が変化すると、伝達軸２５２、接続部材２５３、アーム２５６、駆動軸２５４および増幅部材２５５を介して、条間ロータ２３の回転軸２３０が固定軸２５０を中心として回動する。これにより、条間ロータ２３が上下に移動する。
【００５２】
本実施形態では、図３に示すように、４つの増幅部材２５５のうちの２つは、右側から１つ目と２つ目の条間ロータ２３を挟むように配置される。また、増幅部材２５５のうち残りの２つは、左側から１つ目と２つ目の条間ロータ２３を挟むように配置される。このように、回転軸２３０を左右両端と、その間の２箇所とを含む４箇所で支持することにより、回転軸２３０の撓みが抑制されている。
【００５３】
レバー２５１を図４中実線矢印で示すように後方に移動させると、伝達軸２５２が、固定軸２５０を中心として上方へ持ち上がる。同時に、接続部材２５３が、図４中に破線矢印で示すように、回動する。これにより、駆動軸２５４および増幅部材２５５が、固定軸２５０を中心として上方へ持ち上がる。その結果、条間ロータ２３の回転軸２３０が、２点鎖線矢印で示すように、上方へ持ち上がる。
【００５４】
すなわち、伝達軸２５２、接続部材２５３、アーム２５６、駆動軸２５４および増幅部材２５５は、一体として、固定軸２５０を中心として回動し、レバー２５１に入力された回動力を回転軸２３０へ増幅伝達する回動部材を構成している。
【００５５】
このように、ロータ位置調節機構２５は、レバー２５１を前後に操作することにより、工具の使用や部品の取り外しを行うことなく、条間ロータ２３の揺動ツース２４に対する上下方向の相対位置を変位させる。したがって、条間ロータ２３が圃場に対して作用する深さをワンタッチで変更できる。このように、簡易な操作で条間ロータ２３の高さを調節できるため、作業効率を向上できる。
【００５６】
なお、本実施形態では、レバー２５１は、走行車体１０のメインフレーム１１の下方に配置されている。しかしながら、レバー２５１は、操作部１４の近傍に配置されてもよい。そうすれば、作業者は、運転席１５に着席したまま、条間ロータ２３の高さを調節できるため、作業効率をさらに向上できる。
【００５７】
ここで、図５の（ａ）は、条間ロータ２３が最深位置に配置された場合の除草機１の部分側面図である。また、図５の（ｂ）は、条間ロータ２３が最浅位置に配置された場合の除草機１の部分側面図である。なお、図５においては、圃場の土壌面９が破線で記載されている。レバー２５１を操作することにより、図５（ａ）および図５（ｂ）に示すように、フロート２１、分草板２２、および揺動ツース２４に対して、条間ロータ２３の上下方向の位置が変位する。
【００５８】
図５（ａ）に示すように、最深位置において、条間ロータ２３の下端部は、揺動ツース２４の下端部よりも下方に配置される。これにより、条間ロータ２３は、最深位置において揺動ツース２４よりも深い位置まで雑草の根部を掻き取ることができる。その結果、条間ロータ２３は、条間の雑草を効果的に除草できる。
【００５９】
また、図５（ｂ）に示すように、最浅位置において、条間ロータ２３の下端部は、揺動ツース２４の下端部よりも上方、かつ、フロート２１の下面よりも下方に配置される。最浅位置において、条間ロータ２３の下端部がフロートの面よりも僅かに下方に配置されることにより、条間ロータが圃場の土壌表面のごく浅い部分のみを掻くことができる。そのため、未活着の苗が土壌表面から浮き上がるのを抑制できる。
【００６０】
また、本実施形態では、ロータ位置調節機構２５は、レバー２５１を操作することにより、５つの条間ロータ２３の全てについて、揺動ツース２４に対する上下方向の相対位置を同時に変位させる。これにより、迅速に全ての条間ロータ２３の位置を変位させることができる。なお、ロータ位置調節機構２５が複数のレバーを有し、条間ロータ２３の各々についてその上下方向の位置を変位させてもよい。
【００６１】
続いて、除草作業の手順について、以下に説明する。まず、除草機１の運転席１５に着席した作業者が、操作部１４を操作し、圃場の苗条に沿った向きに除草機１の進行方向を合わせるとともに、前輪１２および後輪１３が条間に位置するように調節する。このとき、除草装置２０は、待機位置に配置されている。
【００６２】
次に、操作部１４を操作し、除草装置２０を下降させ、所定の高さの除草位置へ配置する。このとき、フロート２１が検知した圃場の土壌表面高さに基づいて、除草装置２０の高さの微調整が行われる。
【００６３】
作業者は、条間ロータ２３および揺動ツース２４の圃場の苗条に対する位置を確認した後、除草装置２０を駆動させ、条間ロータ２３を回転させるとともに揺動ツース２４の揺動を開始する。その後、除草機１を前進させて除草作業を行う。条間ロータ２３の回転速度、揺動ツース２４の揺動速度、および、条間ロータ２３の土壌表面に対する高さはそれぞれ、苗の生育状況、雑草や藻の発生状況、または、圃場の水の深さなどを考慮して調整を行う。
【００６４】
除草作業を行いながら進行する除草機１が、圃場の端部に達したら、除草装置２０の駆動を停止し、除草装置２０を待機位置まで上昇させる。その後、除草機１の向きを転回し、未処理の苗条に合わせて除草機１を移動する。除草機１の位置および方向が定まったら、除草装置２０を除草位置へ下降させ、当該未処理の苗条に対して除草作業を開始する。以後、同様の作業を繰り返すことにより、圃場内の除草作業を行う。
【００６５】
条間ロータ２３の土壌面に対する高さは、種々の条件により選択することにより、除草効果を向上できる。ここで、苗の育成状況に応じた条間ロータ２３の高さの選択について一例を挙げて説明する。
【００６６】
苗の移植後、間もなく除草作業を行う場合、苗が未だ十分に活着していないため、条間ロータ２３が深くまで土壌表面を掻くと、その衝撃で苗が土壌表面から浮き上がってしまう可能性がある。このため、条間ロータ２３を最浅位置または最浅位置に近い位置に配置した状態で除草作業を行うことが好ましい。
【００６７】
苗が土壌面にしっかりと定着した後に除草作業を行う場合、雑草の根部を土壌中からできるだけ掻き出すことが好ましい。したがって、条間ロータ２３を最深位置または最深位置に近い位置に配置した状態で除草作業を行ってもよい。そうすると、除草効果を向上できる。
【００６８】
さらに苗が成長し、条間まで苗の根部が伸びた後に除草作業を行う場合、条間ロータ２３を低い位置で回転させると、苗の根部を傷つける虞がある。このため、条間ロータ２３を最深位置に近い状態で除草作業を行うのは好ましくない。このような場合、苗の根部の状態を考慮して、条間ロータ２３を最浅位置と最深位置の中間付近の位置や、最浅位置に近い位置に配置した状態で除草作業を行うことが好ましい。
【００６９】
このように、苗の生育状況に応じて条間ロータ２３の高さを選択することにより、苗の成長を阻害することなく、効率よく除草作業を行うことができる。
【００７０】
また、同じ圃場内であっても、その領域によって、苗の生育状況、雑草の密集度や生える雑草の種類などの諸条件が異なる。そのため、効率よく除草作業を行うためには、除草作業中に、条件の異なる領域ごとに、圃場の状態に応じて条間ロータ２３の高さを変位させることが好ましい。
【００７１】
除草装置２０では、レバー２５１を操作することにより、簡単かつ迅速に条間ロータ２３の上下方向の位置を変位できる。これにより、除草作業を行っている場合であっても、短い中断時間で条間ロータ２３の位置を変位できる。すなわち、作業効率の低下を抑制しつつ、除草効果を向上できる。また、除草装置２０では、工具の使用や部品の取り外しを行うことなく条間ロータ２３の上下方向の位置を変位できるため、圃場内で条間ロータ２３の変位を行った場合であっても、圃場に工具や部品を落下させたり、紛失したりする虞がない。したがって、作業効率の低下をより抑制できる。
【００７２】
＜２．変形例＞
以上、本発明の一実施形態について説明したが、本発明は、上記の実施形態に限定されるものではない。
【００７３】
上記の実施形態の除草機は、ロータ操作部が６段階の段階を有する段階調節式のレバーであったが、本発明はこれに限られない。ロータ操作部は、２段階〜５段階、または、７段階以上の段階を有する段階調節式のレバーであってもよい。なお、ロータ操作部が段階調節式のレバーである場合、３段階以上の段階を有する事が好ましい。また、ロータ操作部として、段階調節式のレバーに代えて、無段階調節式の回転式レバーなどが用いられてもよい。
【００７４】
また、上記の実施形態の除草機は、前輪と後輪との間に除草装置が備えられた、いわゆるミッドマウント型の除草機であったが、本発明はこれに限られない。除草機は、前後の車輪の前方に除草装置が設けられたいわゆるフロントマウント型や、前後の車輪の後方に除草装置が設けられたいわゆるリアマウント型であってもよい。
【００７５】
また、上記の実施形態の除草機は、４条用の除草機であったが、本発明の除草装置が搭載される除草機は、４条用には限られない。例えば、２条用、６条用、または８条用の除草機に、本発明の除草装置を搭載してもよい。その場合、除草機の条数に応じて、条間ロータの数および揺動ツースの数を、適宜に変更すればよい。
【００７６】
また、除草装置の細部の構成については、本願の各図に示された形状と、相違していてもよい。また、上記の実施形態や変形例に登場した各要素を、矛盾が生じない範囲で、適宜に組み合わせてもよい。
【符号の説明】
【００７７】
１  除草機
９  土壌面
１０  走行車体
２０  除草装置
２１  フロート
２２  分草板
２３  条間ロータ
２４  揺動ツース
２５  ロータ位置調節機構
２３１  除草爪
２５１  レバー
【図１】
0006403318.tif 000002
【図２】
0006403318.tif 000003
【図３】
0006403318.tif 000004
【図４】
0006403318.tif 000005
【図５】
0006403318.tif 000006
【図６】
0006403318.tif 000007